(57)【要約】【課題】能動制御により低周波成分を多く含む界床の重量床衝撃音を安定に且つ効率良く遮断する遮音構造体等を提供する。【解決手段】階上居室で発生した騒音は、床１０を介してキャビティ１４に入射する。キャビティ１４に入射するのは、床１０等の固有共鳴周波数に対応した２５０Ｈｚ以下の低周波数成分である。階上居室で発生した騒音は、参照マイク１８で検出され、騒音信号が制御装置２４に出力される。一方、キャビティ１４内で消音されずに残留した残留音は、誤差マイク２２で検出され、誤差信号が制御装置２４に出力される。制御装置２４は、入力された騒音信号及び誤差信号を用いて、誤差信号が最小となるように適応制御を実行する。得られた制御信号はスピーカ２０に出力される。スピーカ２０は、制御信号に応じて生成した制御音をキャビティ１４内部に向けて放射する。キャビティ１４内では、放射された制御音により騒音が打ち消される。その結果、天井板１６の振動が防止され、階下居室への騒音の伝播が防止される。【選択図】図１
2005105774.tif 000002
【特許請求の範囲】
【請求項１】
階上と階下との間の床の床衝撃音を遮断する遮音構造体であって、
前記床と共に階下側に閉空間を形成する天井板と、
前記床上に配置され、階上で発生した床衝撃音を検出して、騒音信号を出力する騒音検出マイクロホンと、
前記閉空間内に配置され、前記閉空間に残留する残留音を検出して、誤差信号を出力する残留音検出マイクロホンと、
前記閉空間内に配置され、前記残留音のレベルが最小になるように前記騒音信号と前記誤差信号とに基づいて生成された制御信号に応じた制御音を、前記閉空間に放射する制御音スピーカと、
を備えた遮音構造体。
【請求項２】
階上と階下との間の床の床衝撃音を遮断する遮音構造体であって、
前記床と共に階下側に閉空間を形成する天井板と、
前記床上又は前記床内部に配置され、階上で発生した床衝撃音による振動を検出して、振動信号を出力する振動検出センサと、
前記閉空間内に配置され、前記閉空間に残留する残留音を検出して、誤差信号を出力する残留音検出マイクロホンと、
前記閉空間内に配置され、前記残留音のレベルが最小になるように前記振動信号と前記誤差信号とに基づいて生成された制御信号に応じた制御音を、前記閉空間に放射する制御音スピーカと、
を備えた遮音構造体。
【請求項３】
階上と階下との間の床の床衝撃音を遮断する遮音構造体であって、
前記床と共に階下側に閉空間を形成する天井板と、
前記床上に配置され、階上で発生した床衝撃音を検出して、騒音信号を出力する騒音検出マイクロホンと、
前記床上又は前記床内部に配置され、階上で発生した床衝撃音による振動を検出して、振動信号を出力する振動検出センサと、
前記閉空間内に配置され、前記閉空間に残留する残留音を検出して、誤差信号を出力する残留音検出マイクロホンと、
前記閉空間内に配置され、前記残留音のレベルが最小になるように前記騒音信号及び前記振動信号のいずれか一方と前記誤差信号とに基づいて生成された制御信号に応じた制御音を、前記閉空間に放射する制御音スピーカと、
を備えた遮音構造体。
【請求項４】
階上と階下との間の床の床衝撃音を遮断する遮音装置であって、
前記床上に配置され、階上で発生した床衝撃音を検出して、騒音信号を出力する騒音検出マイクロホンと、
前記床と天井板とにより階下側に形成された閉空間内に配置され、前記閉空間に残留する残留音を検出して、誤差信号を出力する残留音検出マイクロホンと、
前記残留音のレベルが最小になるように前記騒音信号と前記誤差信号とに基づいて制御信号を生成する制御手段と、
前記閉空間内に配置され、生成された制御信号に基づいて前記閉空間に制御音を放射する制御音スピーカと、
を備えた遮音装置。
【請求項５】
階上と階下との間の床の床衝撃音を遮断する遮音装置であって、
前記床上又は前記床内部に配置され、階上で発生した床衝撃音による振動を検出して、振動信号を出力する振動検出センサと、
前記床と天井板とにより階下側に形成された閉空間内に配置され、前記閉空間に残留する残留音を検出して、誤差信号を出力する残留音検出マイクロホンと、
前記残留音のレベルが最小になるように前記振動信号と前記誤差信号とに基づいて制御信号を生成する制御手段と、
前記閉空間内に配置され、生成された制御信号に基づいて前記閉空間に制御音を放射する制御音スピーカと、
を備えた遮音装置。
【請求項６】
階上と階下との間の床の床衝撃音を遮断する遮音装置であって、
前記床上に配置され、階上で発生した床衝撃音を検出して、騒音信号を出力する騒音検出マイクロホンと、
前記床上又は前記床内部に配置され、階上で発生した床衝撃音による振動を検出して、振動信号を出力する振動検出センサと、
前記床と天井板とにより階下側に形成された閉空間内に配置され、前記閉空間に残留する残留音を検出して、誤差信号を出力する残留音検出マイクロホンと、
前記騒音信号及び前記振動信号のいずれか一方を選択すると共に、前記残留音のレベルが最小になるように選択した信号と前記誤差信号とに基づいて制御信号を生成する制御手段と、
前記閉空間内に配置され、生成された制御信号に基づいて前記閉空間に制御音を放射する制御音スピーカと、
を備えた遮音装置。
【請求項７】
階上と階下との間の床の床衝撃音を遮断する遮音方法であって、
前記床に天井板を取り付けて、前記床の階下側に閉空間を形成し、
前記閉空間内で検出される残留音のレベルが最小になるように、前記床上で検出された床衝撃音に基づく騒音信号と前記誤差信号とに基づいて、前記閉空間に放射する制御音を生成するための制御信号を生成し、
生成された制御信号に基づいて前記閉空間に制御音を放射し、
前記天井板の振動を防止して床衝撃音を遮断する遮音方法。
【請求項８】
階上と階下との間の床の床衝撃音を遮断する遮音方法であって、
前記床に天井板を取り付けて、前記床の階下側に閉空間を形成し、
前記閉空間内で検出される残留音のレベルが最小になるように、前記床上又は前記床内部で検出された床衝撃音による振動に基づく振動信号と前記誤差信号とに基づいて、前記閉空間に放射する制御音を生成するための制御信号を生成し、
生成された制御信号に基づいて前記閉空間に制御音を放射し、
前記天井板の振動を防止して床衝撃音を遮断する遮音方法。
【請求項９】
前記床衝撃音が、重量物の落下による衝撃振動が原因となって発生する重量床衝撃音である請求項１乃至３のいずれか１項に記載の遮音構造体。
【請求項１０】
前記床衝撃音が、重量物の落下による衝撃振動が原因となって発生する重量床衝撃音である請求項４乃至６のいずれか１項に記載の遮音装置。
【請求項１１】
前記床衝撃音が、重量物の落下による衝撃振動が原因となって発生する重量床衝撃音である請求項７又は８に記載の遮音方法。
【発明の詳細な説明】
【技術分野】
【０００１】
本発明は、遮音構造体、遮音装置、及び遮音方法に係り、特に、能動制御により界床の重量床衝撃音を遮断する遮音構造体、遮音装置、及び遮音方法に関する。
【背景技術】
【０００２】
マンション等の集合住宅においては、階上の床に衝撃的な振動が加えられると、その振動が階下に伝播し、階下の居室で騒音（床衝撃音）が発生する。このような床衝撃音のうち、子供の飛び跳ね等、重量物の落下による衝撃振動が原因となって発生する騒音は「重量床衝撃音」と称されており、６３Ｈｚ〜２５０Ｈｚの低周波数帯域で大きなエネルギーを有している。この重量床衝撃音の遮断性能（いわゆるＬＨ値）は、集合住宅の遮音性能を決定付ける重要な品質の１つとなっている。
【０００３】
従来、界床の重量床衝撃音を低減するには、床を厚くして剛性を増加する、床材の質量を増加する、中空の二重スラブ構造を採用する等の建築工法が採用されてきた。しかしながら、建築工法による対処だけでは、低周波数帯域で十分な遮音性能を得ることができない。また、建築工法による対処では、建築コストが上昇し、居室の配置や寸法等について多大な制約を受け、設計の自由度が低下する。また、中空の二重スラブ構造では、空気層のバネ作用により共鳴透過現象が発生し、低周波数帯域で遮音性能が低下する。更に、上下階間での空気伝播音を遮音するために、吸音性ボードを階下の天井に張る遮音天井工法が採用されることが多いが、この工法では、低周波数帯域で却って遮音性能が低下することが知られている。
【０００４】
また、近年、築後１０年〜２０年を経た建物が増加し、これら既存の建物の改修や用途変更が進められている。例えば、オフィスビルの床厚さは一般に１５０ｍｍ程度であり、これを居住用に変更しようとすると、２５０ｍｍ〜３００ｍｍ程度の床厚さに改修する必要がある。しかしながら、床を厚くする等の対策を事後的に講じることは困難である。このため、より簡単に実施できる重量床衝撃音の低減方法が必要とされている。
【０００５】
一方、騒音をこれと逆位相の制御音で消音する能動型の騒音制御（アクティブ・ノイズ・コントロール）が種々の分野で検討されている。例えば、能動制御により航空機の箱体内部の騒音を低減する方法が実用化されつつある。このアクティブ・ノイズ・コントロールにより、建物内の騒音を低減する手法も幾つか提案されている（特許文献１乃至３、非特許文献１）。
【０００６】
例えば、特許文献１には、住宅や工場等、騒音を消音すべき３次元空間の内部に付加音源スピーカを配置し、制御空間の周辺部に到来する騒音レベルを検出するセンサマイクを配置し、付加音源スピーカと制御空間との間に残留騒音レベルを検出するエラーマイクを配置した消音装置が提案されている。この消音装置では、センサマイクで検出した騒音レベルとエラーマイクで検出した残留騒音レベルとに基づいて、残留騒音が最小となるように適応制御を行い、騒音と逆位相の付加音を生成して付加音源スピーカから制御空間に向けて放射することで消音を行っている。この消音装置は、居室等の閉空間に限らず、広く３次元空間に到来する騒音を消音するものである。
【０００７】
また、特許文献２には、中空フレームを間仕切りにより複数の小空間に分割し、分割された小空間毎に消音装置を配置した建築遮音部材が提案されている。この建築遮音部材は、壁材や床材として使用することができる。配置される消音装置は、騒音源からの騒音を検出する検出器、残留騒音を検出する検出器、制御音を放出するスピーカ、及び制御回路を備えている。この建築遮音部材では、小空間に入射した騒音の周波数の低い成分は制御が容易な１次元音場として伝播する。従って、小空間内の１次元音場を能動制御することで、低い周波数成分の騒音が抑制される。
【０００８】
また、非特許文献１には、階上と階下を隔てる床と天井との間に設置したアクチュエータによる床衝撃音のアクティブノイズコントロールが提案されている。この方法では、階下天井の振動をセンサにより検出し、それと逆位相の振動をアクチュエータを用いて階下天井に加振して、音響放射源である階下天井の振動自体を打ち消し、床衝撃音を低減している。
【０００９】
また、特許文献３には、階上床と階下天井との間の空間部に床衝撃音を検出するリファレンスセンサを配置し、このリファレンスセンサの下方に制御音を放射するスピーカを配置し、階下の室内に残留騒音を検出するエラーセンサを配置した床衝撃音の消音装置が提案されている。
【特許文献１】特開平７−１８１９８０号公報
【特許文献２】特開平８−１７０３８３号公報
【特許文献３】特開平９−４４１６８号公報
【非特許文献１】三谷祐一郎、他5名、「バイモルフ圧電素子を用いた床衝撃音のアクティブコントロール（ロバストフィードバック制御の実験）」、日本機会学「Dynamics and Design Conference 2001」講演論文集  p1405-1410(2001)
【発明の開示】
【発明が解決しようとする課題】
【００１０】
しかしながら、特許文献１の消音装置では、消音効果が得られるのは、付加音源スピーカが配置される特定の制御点の近傍に限られるという問題がある。従って、自動車の運転席や航空機の座席等、受音者が狭い領域に在る場合にしか適用することができない。また、制御領域を拡大するためには、付加音源スピーカとエラーマイクとを多数配置しなければならず、多チャンネル制御を行うために、非常に複雑なシステムが必要になる。この結果、付加音を生成するための演算に時間がかかり実時間での適応制御が行えないという問題がある。
【００１１】
特許文献２の建築遮音部材では、小空間毎に消音装置を配置しなければならず、構成が煩雑になるという問題がある。
【００１２】
非特許文献１の能動制御方法では、天井に使用される建材は、その支持方法や施工方法のばらつき、分割振動モードの発生等の影響で、振動特性が非一様で複雑なものとなり、例えば１．８ｍ×０．９ｍといった所定範囲毎に異なる加振信号を加えて制御する必要がある。このため多数の制御装置が必要となり、多チャンネル制御を行うために非常に複雑なシステムが必要になるという問題がある。また、強固な建材を効率良く加振する強力なアクチュエータは開発されていないため、多数のアクチュエータが必要になる。更に、加振による支持部材の緩みによる建材の落下等の事故も懸念される。
【００１３】
特許文献３の床衝撃音の消音装置では、消音効果が得られるのは、スピーカが配置される制御点の近傍に限られるため、階下の室内で十分な消音効果を得るためには、多数のスピーカを配置しなければならないという問題がある。
【００１４】
本発明は、上記問題を解決すべく成されたものであり、本発明の目的は、能動制御により低周波成分を多く含む界床の重量床衝撃音を安定に且つ効率良く遮断する遮音構造体を提供することにある。
【課題を解決するための手段】
【００１５】
上記目的を達成するために本発明の第１の遮音構造体は、階上と階下との間の床の床衝撃音を遮断する遮音構造体であって、前記床と共に階下側に閉空間を形成する天井板と、前記床上に配置され、階上で発生した床衝撃音を検出して、騒音信号を出力する騒音検出マイクロホンと、前記閉空間内に配置され、前記閉空間に残留する残留音を検出して、誤差信号を出力する残留音検出マイクロホンと、前記閉空間内に配置され、前記残留音のレベルが最小になるように前記騒音信号と前記誤差信号とに基づいて生成された制御信号に応じた制御音を、前記閉空間に放射する制御音スピーカと、を備えたことを特徴としている。
【００１６】
また、本発明の第１の遮音装置は、階上と階下との間の床の床衝撃音を遮断する遮音装置であって、前記床上に配置され、階上で発生した床衝撃音を検出して、騒音信号を出力する騒音検出マイクロホンと、前記床と天井板とにより階下側に形成された閉空間内に配置され、前記閉空間に残留する残留音を検出して、誤差信号を出力する残留音検出マイクロホンと、前記残留音のレベルが最小になるように前記騒音信号と前記誤差信号とに基づいて制御信号を生成する制御手段と、前記閉空間内に配置され、生成された制御信号に基づいて前記閉空間に制御音を放射する制御音スピーカと、を備えたことを特徴としている。
【００１７】
更に、本発明の第１の遮音方法は、階上と階下との間の床の床衝撃音を遮断する遮音方法であって、前記床に天井板を取り付けて、前記床の階下側に閉空間を形成し、前記閉空間内で検出される残留音のレベルが最小になるように、前記床上で検出された床衝撃音に基づく騒音信号と前記誤差信号とに基づいて、前記閉空間に放射する制御音を生成するための制御信号を生成し、生成された制御信号に基づいて前記閉空間に制御音を放射し、前記天井板の振動を防止して床衝撃音を遮断することを特徴としている。
【００１８】
上記の第１の遮音構造体、第１の遮音装置、及び第１の遮音方法では、床と天井板との間に閉空間を形成し、この閉空間に制御音スピーカから制御音を放射する。このとき、階上で発生した床衝撃音に基づく騒音信号と残留音に基づく誤差信号とを用いて、閉空間内で検出される残留音のレベルが最小になるように能動制御を行うので、閉空間に入射した低周波成分を多く含む騒音が効率良く打ち消され、天井板の振動が防止される。この結果、重量床衝撃音の階下への伝播が遮断される。また、騒音が効率良く打ち消されるので、マイクロホンやスピーカを多数配置する必要が無い。このため、制御も容易で安定に騒音を遮断することができる。
【００１９】
上記目的を達成するために本発明の第２の遮音構造体は、階上と階下との間の床の床衝撃音を遮断する遮音構造体であって、前記床と共に階下側に閉空間を形成する天井板と、前記床上又は前記床内部に配置され、階上で発生した床衝撃音による振動を検出して、振動信号を出力する振動検出センサと、前記閉空間内に配置され、前記閉空間に残留する残留音を検出して、誤差信号を出力する残留音検出マイクロホンと、前記閉空間内に配置され、前記残留音のレベルが最小になるように前記振動信号と前記誤差信号とに基づいて生成された制御信号に応じた制御音を、前記閉空間に放射する制御音スピーカと、を備えたことを特徴としている。
【００２０】
また、本発明の第２の遮音装置は、階上と階下との間の床の床衝撃音を遮断する遮音装置であって、前記床上又は前記床内部に配置され、階上で発生した床衝撃音による振動を検出して、振動信号を出力する振動検出センサと、前記床と天井板とにより階下側に形成された閉空間内に配置され、前記閉空間に残留する残留音を検出して、誤差信号を出力する残留音検出マイクロホンと、前記残留音のレベルが最小になるように前記振動信号と前記誤差信号とに基づいて制御信号を生成する制御手段と、前記閉空間内に配置され、生成された制御信号に基づいて前記閉空間に制御音を放射する制御音スピーカと、を備えたことを特徴としている。
【００２１】
更に、本発明の第２の遮音方法は、階上と階下との間の床の床衝撃音を遮断する遮音方法であって、前記床に天井板を取り付けて、前記床の階下側に閉空間を形成し、前記閉空間内で検出される残留音のレベルが最小になるように、前記床上又は前記床内部で検出された床衝撃音による振動に基づく振動信号と前記誤差信号とに基づいて、前記閉空間に放射する制御音を生成するための制御信号を生成し、生成された制御信号に基づいて前記閉空間に制御音を放射し、前記天井板の振動を防止して床衝撃音を遮断することを特徴としている。
【００２２】
上記の第２の遮音構造体、第２の遮音装置、及び第２の遮音方法では、床と天井板との間に閉空間を形成し、この閉空間に制御音スピーカから制御音を放射する。このとき、階上で発生した床衝撃音により発生した床の振動に基づく振動信号と残留音に基づく誤差信号とを用いて、閉空間内で検出される残留音のレベルが最小になるように能動制御を行うので、閉空間に入射した低周波成分を多く含む騒音が効率良く打ち消され、天井板の振動が防止される。この結果、重量床衝撃音の階下への伝播が遮断される。また、騒音が効率良く打ち消されるので、マイクロホンやスピーカを多数配置する必要が無い。このため、制御も容易で安定に騒音を遮断することができる。
【００２３】
上記目的を達成するために本発明の第３の遮音構造体は、階上と階下との間の床の床衝撃音を遮断する遮音構造体であって、前記床と共に階下側に閉空間を形成する天井板と、前記床上に配置され、階上で発生した床衝撃音を検出して、騒音信号を出力する騒音検出マイクロホンと、前記床上又は前記床内部に配置され、階上で発生した床衝撃音による振動を検出して、振動信号を出力する振動検出センサと、前記閉空間内に配置され、前記閉空間に残留する残留音を検出して、誤差信号を出力する残留音検出マイクロホンと、前記閉空間内に配置され、前記残留音のレベルが最小になるように前記騒音信号及び前記振動信号のいずれか一方と前記誤差信号とに基づいて生成された制御信号に応じた制御音を、前記閉空間に放射する制御音スピーカと、を備えたことを特徴としている。
【００２４】
また、本発明の第３の遮音装置は、階上と階下との間の床の床衝撃音を遮断する遮音装置であって、前記床上に配置され、階上で発生した床衝撃音を検出して、騒音信号を出力する騒音検出マイクロホンと、前記床上又は前記床内部に配置され、階上で発生した床衝撃音による振動を検出して、振動信号を出力する振動検出センサと、前記床と天井板とにより階下側に形成された閉空間内に配置され、前記閉空間に残留する残留音を検出して、誤差信号を出力する残留音検出マイクロホンと、前記騒音信号及び前記振動信号のいずれか一方を選択すると共に、前記残留音のレベルが最小になるように選択した信号と前記誤差信号とに基づいて制御信号を生成する制御手段と、前記閉空間内に配置され、生成された制御信号に基づいて前記閉空間に制御音を放射する制御音スピーカと、を備えたことを特徴としている。
【００２５】
上記の第３の遮音構造体、及び第３の遮音装置では、床と天井板との間に閉空間を形成し、この閉空間に制御音スピーカから制御音を放射する。このとき、階上で発生した床衝撃音に基づく騒音信号と、階上で発生した床衝撃音により発生した床の振動に基づく振動信号のいずれか一方を選択して、選択した信号と残留音に基づく誤差信号とを用いて、閉空間内で検出される残留音のレベルが最小になるように能動制御を行うので、閉空間に入射した低周波成分を多く含む騒音が効率良く打ち消され、天井板の振動が防止される。この結果、重量床衝撃音の階下への伝播が遮断される。また、騒音が効率良く打ち消されるので、マイクロホンやスピーカを多数配置する必要が無い。このため、制御も容易で安定に騒音を遮断することができる。
【００２６】
上記の遮音構造体、遮音装置、及び遮音方法における遮音効果は、床衝撃音が、重量物の落下による衝撃振動が原因となって発生する重量床衝撃音である場合に顕著となる。
【発明の効果】
【００２７】
本発明によれば、能動制御により低周波成分を多く含む界床の重量床衝撃音を安定に且つ効率良く遮断することができる、という効果が得られる。
【発明を実施するための最良の形態】
【００２８】
以下、図面を参照して、本発明の遮音構造体を２階建て以上の集合住宅において階上居室と直下に在る階下居室とを仕切る界床に適用した実施の形態について詳細に説明する。
（第１の実施の形態）
図１に示すように、第１の実施の形態に係る遮音構造体は、階上居室の床１０と、床１０に垂直に連続する階下居室の壁１２と、床１０及び壁１２と共に天井裏にキャビティ１４を形成するように床１０に取り付けられた天井板１６とを備えている。天井板１６は、吊り下げ型の支持部材３０により床１０に取り付けられている。天井板１６と壁１２との隙間には、シール材１７が挿入されている。支持部材３０には、支持部材３０を介して床１０の振動が天井板１６に伝播しないように、防振ゴム等の防振部材３２が取り付けられている。
【００２９】
床１０と壁１２とは、コンクリートで一体に形成されており、床１０に相当する部分は「コンクリート床スラブ」と称されている。一般に、キャビティを介して２層のコンクリート床スラブが設けられた構造は「二重スラブ構造」と、コンクリート床スラブが１層しか設けられていない構造は「一重スラブ構造」と称されている。本実施の形態では、一重スラブ構造の床１０に天井板１６を取り付けることで、二重スラブ構造と同様にキャビティ１４を備えることができる。
【００３０】
床１０の厚さ、即ちコンクリートスラブの厚さは、特に制限はないが、オフィイスビル等では１００ｍｍ〜２００ｍｍが一般的である。また、キャビティ１４の厚さは、設置するスピーカ２０の大きさに応じて適宜決定されるが、１０ｃｍ〜１５ｃｍ程度あれば十分である。
【００３１】
天井板１６には、入射した騒音が階下にそのまま伝播しないように、遮音性能に優れた板状の内装材料が使用される。このような内装材料としては、通気孔等が設けられていないものが好ましく、例えば、石膏ボードや合板等を使用することができる。天井板１６の厚さ、即ち、内装材料の厚さは１０ｍｍ前後が一般的である。また、階下居室で発生した騒音が階上に伝播しないように、天井板１６に更に吸音材料を取り付けてもよい。
【００３２】
コンクリートの床１０上には、支持脚２６を介して仕上げ用の床板２８が取り付けられ、階上居室の床はいわゆる二重床に仕上げられている。この床板２８と床１０との間には、階上居室で発生した騒音を検出するための参照マイク１８が配置されている。参照マイク１８は、例えば、二重床仕上げ時等に設置することができる。
【００３３】
また、キャビティ１４内部には、入射した騒音を消音するための制御音を放射するスピーカ２０と、消音されずに残留した残留音を検出する誤差マイク２２とが配置されている。スピーカ２０及び誤差マイク２２は、例えば、天井板１６の取り付け時等に設置することができる。スピーカ２０は、背面への音の回り込みを防止するために、キャビティ１４をスピーカ２０の前方（音が放射される側）と後方とに仕切る仕切り板２１に取り付けられている。スピーカ２０としては、制御対象とする低周波数の音の再生能力に優れたスピーカ、例えば、サブウーハーと呼ばれる中低音用スピーカが好ましい。
【００３４】
参照マイク１８及び誤差マイク２２の出力は、図示しないアンプと図示しないＡ／Ｄ変換器を介して制御装置２４に接続されており、参照マイク１８で検出された騒音に基づく騒音信号と、誤差マイク２２で検出された残留音に基づく誤差信号とが制御装置２４に入力される。また、スピーカ２０の入力は、図示しないＤ／Ａ変換器を介して制御装置２４に接続されており、制御装置２４で生成された制御信号がスピーカ２０に入力される。
【００３５】
上述した通り、参照マイク１８、誤差マイク２２、及びこれらマイクの出力信号に基づいて生成された制御音を放射するスピーカ２０で構成される１組の入出力装置と、制御回路２４とを用いて騒音制御を行うことができる。図１には１組の入出力装置しか図示されていないが、キャビティ１４の面積及び形状に応じて、複数組の入出力装置を適当な位置に配置してもよい。遮音効率の観点から、キャビティ１４の面積５〜１０ｍ2程度に対して１組の入出力装置を配置することが好ましい。
【００３６】
図２に入出力装置が複数組配置される場合のスピーカ２０等の配置例を示す。この配置例では、キャビティ１４は略正方形であり、その四隅で騒音の低周波成分が増加することが知られている。従って、図２（Ａ）に示すように、４個のスピーカ２０1〜２０4をキャビティ１４の四隅の各々に配置してもよく、図２（Ｂ）に示すように、８個のスピーカ２０1〜２０8をキャビティ１４の四隅の各々に２個ずつ配置してもよい。
【００３７】
４個のスピーカ２０1〜２０4を図２（Ａ）のように配置した場合には、例えば、キャビティ１４の四隅を区切るように、仕切り板２１を点線で示す位置に配置し、仕切り板２１を介して４個のスピーカ２０1〜２０4の各々と対向する位置に対応する誤差マイク２２1〜２２4を配置する。誤差マイク２２は、仕切り板２１から１／４波長以内の距離に配置するのが好ましい。誤差マイク２２から仕切り板２１までの距離を１／４波長より短くすることで、誤差マイク２２の検出精度が向上する。なお、この場合、４個の参照マイク１８1〜１８4も、床１０上になるべく均等に配置するのが好ましい。例えば、図２（Ｃ）に示すように、３個は４隅のいずれかに配置し、１個は対角線の交差する位置に配置する。
【００３８】
また、８個のスピーカ２０1〜２０8を図２（Ｂ）のように配置した場合には、例えば、キャビティ１４の側壁と平行になるように、仕切り板２１を点線で示す位置に配置し、仕切り板２１を介して４個の誤差マイク２２1〜２２4を配置する。例えば、一角に配置されるスピーカ２０8と２０1の各々と対向する位置に誤差マイク２２1を配置するというように、各角に対応する４個の誤差マイク２２1〜２２4を配置する。この場合、スピーカ２０1〜２０8は、例えば図中に実線又は点線で示すように、隣り合う２個を並列結線する。
【００３９】
図３に制御装置２４の構成を示す。図３に示すように、制御装置２４は、適応フィルタ３４と、適応フィルタ３４のフィルタ係数を演算する演算器３６とで構成されている。フィルタ係数の演算には、ＬＭＳ法、Filtered−Ｘ法等の適応制御アルゴリズムが適用される。この制御装置２４では、参照マイク１８から適応フィルタ３４及び演算器３６に騒音信号が入力され、誤差マイク２２から演算器３６に誤差信号が入力される。適応フィルタ３４は、入力された騒音信号を処理し、制御音を放射するための制御信号を生成して、スピーカ２０に出力する。また、演算器３６は、入力された騒音信号と誤差信号とを用いて、誤差信号が最小となるように適応フィルタ３４のフィルタ係数を演算し、フィルタ係数を更新する。この結果、常に残留音が最小となるように、スピーカ２０から騒音を消音するための制御音が放射される。
【００４０】
次に、上記の遮音構造体における遮音動作について説明する。
【００４１】
図１に示す遮音構造体では、階上居室で発生した騒音は、床１０を介してキャビティ１４に入射する。騒音の高周波数成分は、床１０等の建材に吸収されるので、キャビティ１４に入射するのは、床１０等の固有共鳴周波数に対応した２５０Ｈｚ以下の低周波数成分である。ここで、遮音動作が行われない場合には、キャビティ１４に入射した騒音が天井板１６を振動させ、これにより天井板１６を介して階下居室に騒音が伝播する。
【００４２】
また、階上居室で発生した騒音は、参照マイク１８で検出され、図示しないアンプにより増幅され、図示しないＡ／Ｄ変換器によりデジタル信号に変換されて、騒音信号として制御装置２４に出力される。一方、キャビティ１４に入射した騒音は、後述する通り、スピーカ２０から放射される制御音により消音されるが、消音されずに残留した残留音は、誤差マイク２２で検出され、図示しないアンプにより増幅され、図示しないＡ／Ｄ変換器によりデジタル信号に変換されて、誤差信号として制御装置２４に出力される。
【００４３】
制御装置２４は、入力された騒音信号及び誤差信号を用いて、誤差信号が最小となるように適応制御を実行する。制御対象となる騒音は低周波数で振動周期が長く継続時間も長いため、騒音が床１０及びキャビティ１４を伝播する時間に対してフィルタ係数の演算が若干遅れても問題にはならない。また、参照マイク１８は床板２８と床１０との間に配置され、誤差マイク２２はキャビティ１４内に配置されて、異なる音場の音波を検出する。
【００４４】
得られた制御信号は、図示しないＤ／Ａ変換器によりアナログ信号に変換されて、スピーカ２０に出力される。スピーカ２０は、入力された制御信号に応じて生成した制御音をキャビティ１４内部に向けて放射する。
【００４５】
キャビティ１４内では、放射された制御音により騒音が打ち消される。一般に、二重構造における遮音性能は、床材の固有振動モード、キャビティ内の空気の音響的な共振モード、及び２枚の床材と空気とからなる連成系のモードに支配される。本実施の形態では、床材（スラブ床１０と天井板１６）と空気とからなる連成系のモード、キャビティ内の空気の音響的な共振モードを制御する。これらの低次モードでは、特定の周波数の音が強調され、また、キャビティ内の音場は音圧の高い所と低い所とがゆるやかな間隔で対称な形に並んだ極めて単純な音圧分布を有する。
【００４６】
この場合、キャビティ内の特定の場所の騒音を消すようにスピーカの出力を制御すれば、対称な場所の騒音も同時に消すことができる。従って、キャビティ１４内に形成される音場は、３次元音場のまま容易に制御することができる。その結果として、天井板１６の振動が防止され、階下居室への騒音の伝播が防止される。具体的には、コンクリートスラブの厚さが１５０ｍｍの床１０に適用した場合、ＬＨ換算で５ｄＢ〜１０ｄＢの遮音性能の改善が見られる。
【００４７】
以上説明した通り、本実施の形態の遮音構造体は、能動制御により騒音の低周波数成分を消音するものであるため、床を厚くする等の建築工法等で対処する場合に比べ、低周波数帯域で十分な遮音性能を得ることができる。従って、低周波成分を多く含む界床の重量床衝撃音を安定に且つ効率良く遮断することができる。
【００４８】
また、本実施の形態の遮音構造体は、コンクリートの床に天井板を取り付けて二重スラブ構造に類似の構造を形成するものであり、既存建物の改修や用途変更の場合にも、簡単に適用することができる。
【００４９】
また、本実施の形態の遮音構造体は、キャビティという小空間内で騒音の能動制御を行うものであり、階下居室に伝播した騒音を能動制御する場合に比べ消音効率が良く、階下居室というより広い領域で消音効果を得ることができる。従って、参照マイク、誤差マイク、スピーカ等を多数配置する必要がなく、装置構成や制御が簡単になる。
【００５０】
（第２の実施の形態）
第２の実施の形態に係る遮音構造体は、図４に示すように、参照マイクを配置する代わりに、振動検出センサとしての振動ピックアップ３８を配置した以外は、第１の実施の形態に係る遮音構造体と同じ構成であるため、同一部分には同じ符号を付して説明を省略する。
【００５１】
本実施の形態に係る遮音構造体では、床１０内部に、振動ピックアップ３８が埋め込まれている。この振動ピックアップ３８は、階上居室で発生した騒音による床１０の振動を検出する。衝撃性騒音の立ち上がり特性は、その発生源となる床１０の振動の立ち上がりに対して時間遅れを有している。このため、参照用の信号として床１０の振動を検出して得られる振動信号を利用すると、実時間での適応処理の追従性の点で有利になる。また、振動ピックアップ３８の出力は、図示しないアンプと図示しないＡ／Ｄ変換器を介して制御装置２４に接続されている。
【００５２】
なお、振動ピックアップ３８は、図５（Ａ）に示すように、床１０上に配置してもよいが、床１０上に配置した場合には、音波による検出ノイズが増加するため、床１０内部に埋め込むのが好ましい。振動ピックアップ３８を埋め込む位置は、図５（Ｂ）に示すように、床１０の上部でもよく、図５（Ｃ）に示すように、床１０の下部でもよい。
【００５３】
この遮音構造体では、階上居室で発生した騒音は、床１０を介してキャビティ１４に入射する。このとき床１０に振動が発生する。この振動は振動ピックアップ３８で検出され、図示しないアンプにより増幅され、図示しないＡ／Ｄ変換器によりデジタル信号に変換されて、振動信号として制御装置２４に出力される。一方、キャビティ１４に入射した騒音は、後述する通り、スピーカ２０から放射される制御音により消音されるが、消音されずに残留した残留音は、誤差マイク２２で検出され、図示しないアンプにより増幅され、図示しないＡ／Ｄ変換器によりデジタル信号に変換されて、誤差信号として制御装置２４に出力される。
【００５４】
制御装置２４は、入力された振動信号及び誤差信号を用いて、誤差信号が最小となるように適応制御を実行する。得られた制御信号は、図示しないＤ／Ａ変換器によりアナログ信号に変換されて、スピーカ２０に出力される。スピーカ２０は、入力された制御信号に応じて生成した制御音をキャビティ１４内部に向けて放射する。キャビティ１４内では、放射された制御音により騒音が打ち消される。その結果として、天井板１６の振動が防止され、階下居室への騒音の伝播が防止される。具体的には、コンクリートスラブの厚さが１５０ｍｍの床１０に適用した場合、ＬＨ換算で５ｄＢ〜１０ｄＢの遮音性能の改善が見られる。
【００５５】
以上説明した通り、本実施の形態の遮音構造体は、第１の実施の形態と同様に、能動制御により騒音の低周波数成分を消音するものであるため、床を厚くする等の建築工法等で対処する場合に比べ、低周波数帯域で十分な遮音性能を得ることができる。従って、低周波成分を多く含む界床の重量床衝撃音を安定に且つ効率良く遮断することができる。
【００５６】
また、既存建物の改修や用途変更の場合に簡単に適用することができる。更に、キャビティという小空間内で騒音の能動制御を行うものであり、階下居室に伝播した騒音を能動制御する場合に比べ消音効率が良く、より広い領域で消音効果を得ることができ、装置構成や制御が簡単になる。
【００５７】
加えて、参照用の信号として、床の振動を検出して得られる振動信号を利用するので、実時間での適応処理の追従性の点で有利になる。即ち、振動が発生してから階下に音として放射されるまでのタイムラグがあるので、振動信号を利用するとフィルタ係数の計算時間を確保し易くなる。
【００５８】
（第３の実施の形態）
第３の実施の形態に係る遮音構造体は、図６に示すように、参照マイク１８と振動ピックアップ３８とを配置し、両者の出力信号を選択的に使用する以外は、第１の実施の形態に係る遮音構造体と同じ構成であるため、同一部分には同じ符号を付して説明を省略する。
【００５９】
本実施の形態に係る遮音構造体では、床板２８と床１０との間には、階上居室で発生した騒音を検出するための参照マイク１８が配置され、床１０内部には、振動ピックアップ３８が埋め込まれている。また、参照マイク１８、振動ピックアップ３８及び誤差マイク２２の出力は、図示しないアンプと図示しないＡ／Ｄ変換器を介して制御装置２４に接続されている。
【００６０】
制御装置２４は、図７に示すように、適応フィルタ３４と、適応フィルタ３４のフィルタ係数を演算する演算器３６と、信号選択回路４０で構成されている。この制御装置２４では、参照マイク１８及び振動ピックアップ３８から信号選択回路４０に騒音信号及び振動信号が入力され、誤差マイク２２から演算器３６及び信号選択回路４０に誤差信号が入力される。信号選択回路４０は、参照マイク１８からの騒音信号と振動ピックアップ３８からの振動信号のいずれか一方を選択して、選択した信号を適応フィルタ３４及び演算器３６に出力する。適応フィルタ３４は、入力された信号を処理し、制御音を放射するための制御信号を生成して、スピーカ２０に出力する。また、演算器３６は、入力された信号と誤差信号とを用いて、誤差信号が最小となるように適応フィルタ３４のフィルタ係数を演算し、フィルタ係数を更新する。この結果、常に残留音が最小となるように、スピーカ２０から騒音を消音するための制御音が放射される。
【００６１】
この遮音構造体では、階上居室で発生した騒音は、床１０を介してキャビティ１４に入射する。このとき床１０に振動が発生する。この振動は振動ピックアップ３８で検出され、図示しないアンプにより増幅され、図示しないＡ／Ｄ変換器によりデジタル信号に変換されて、振動信号として制御装置２４に出力される。また、階上居室で発生した騒音は、参照マイク１８で検出され、図示しないアンプにより増幅され、図示しないＡ／Ｄ変換器によりデジタル信号に変換されて、騒音信号として制御装置２４に出力される。一方、キャビティ１４に入射した騒音は、後述する通り、スピーカ２０から放射される制御音により消音されるが、消音されずに残留した残留音は、誤差マイク２２で検出され、図示しないアンプにより増幅され、図示しないＡ／Ｄ変換器によりデジタル信号に変換されて、誤差信号として制御装置２４に出力される。
【００６２】
制御装置２４では、まず、信号選択回路４０で騒音信号及び振動信号のいずれか一方が選択される。ここで、図８を参照して信号選択回路４０の処理ルーチンを説明する。ステップ１００で、騒音信号、振動信号、及び誤差信号が入力されたか否かを判断する。各信号が入力されたと判断されると、ステップ１０２で、騒音信号と誤差信号、振動信号と誤差信号、各々の相関を計測する。誤差信号との相関が高い方が制御性能が高くなる。ステップ１０４で、計測された相関の大きさを比較し、騒音信号と誤差信号との相関が、振動信号と誤差信号との相関より大きいか否か判断する。騒音信号と誤差信号との相関の方がより大きい場合は、検出された騒音にテレビ音声や人の会話等に起因する騒音成分が多く含まれている。従って、この場合は、これらの騒音成分が遮音されるように、ステップ１０６で騒音信号を選択して出力し、ルーチンを終了する。一方、振動信号と誤差信号との相関の方がより大きい場合は、主に床衝撃音が検出されている。従って、この場合は、床衝撃音が遮音されるように、ステップ１０８で振動信号を選択して出力し、ルーチンを終了する。
【００６３】
入力された信号及び誤差信号を用いて、誤差信号が最小となるように適応制御を実行する。得られた制御信号は、図示しないＤ／Ａ変換器によりアナログ信号に変換されて、スピーカ２０に出力される。スピーカ２０は、入力された制御信号に応じて生成した制御音をキャビティ１４内部に向けて放射する。キャビティ１４内では、放射された制御音により騒音が打ち消される。その結果として、天井板１６の振動が防止され、階下居室への騒音の伝播が防止される。具体的には、コンクリートスラブの厚さが１５０ｍｍの床１０に適用した場合、ＬＨ換算で５ｄＢ〜１０ｄＢの遮音性能の改善が見られる。
【００６４】
以上説明した通り、本実施の形態の遮音構造体は、第１の実施の形態と同様に、能動制御により騒音の低周波数成分を消音するものであるため、床を厚くする等の建築工法等で対処する場合に比べ、低周波数帯域で十分な遮音性能を得ることができる。従って、低周波成分を多く含む界床の重量床衝撃音を安定に且つ効率良く遮断することができる。
【００６５】
また、既存建物の改修や用途変更の場合に簡単に適用することができる。更に、キャビティという小空間内で騒音の能動制御を行うものであり、階下居室に伝播した騒音を能動制御する場合に比べ消音効率が良く、より広い領域で消音効果を得ることができ、装置構成や制御が簡単になる。
【００６６】
参照用の信号として、騒音信号と床の振動を検出して得られる振動信号とを選択的に利用するので、階上居室で発生した騒音の種類に応じた能動制御を行うことができる。
【００６７】
なお、上記の第１〜第３の実施の形態では、床と平行に制御音が放射されるようにスピーカを配置する例について説明したが、上述した通り、キャビティ内の音場は比較的単純な音圧分布を有するようになるので、図９（Ａ）に示すように、床１０から天井板１６に向けて制御音が放射されるようにスピーカ２０を配置してもよく、図９（Ｂ）に示すように、天井板１６から床１０に向けて制御音が放射されるようにスピーカ２０を配置してもよい。
【００６８】
また、上記の第１〜第３の実施の形態では、一重スラブ構造の床に天井板を取り付けてキャビティを形成する例について説明したが、二重スラブ構造の床の場合には、床スラブの間のキャビティを利用してもよい。
【００６９】
また、上記の第１〜第３の実施の形態では、子供の飛び跳ねや人の歩行による衝撃振動が原因となって発生する重量床衝撃音を遮音する例について説明したが、本発明は、クーリングタワー等の大型設備機器の機械振動による騒音、地下鉄や交通流等から発生する交通振動によって建屋内に発生する変動振動等、低周波数成分が卓越した騒音による遮音対策にも適用することができる。
【００７０】
また、本発明は、階上と階下との間の床の床衝撃音を遮断する遮音構造体、遮音装置、及び遮音方法に関するものであるが、壁や間仕切りの遮音にも利用できることは明らかである。
【図面の簡単な説明】
【００７１】
【図１】第１の実施の形態の遮音構造体の構成を示す概略断面図である。
【図２】（Ａ）及び（Ｂ）はスピーカ及び誤差マイクの配置例を示す平面図であり、（Ｃ）は参照マイクの配置例を示す平面図である。
【図３】第２の実施の形態で使用する制御装置の構成を示すブロック図である。
【図４】第２の実施の形態の遮音構造体の構成を示す概略断面図である。
【図５】（Ａ）〜（Ｃ）は振動ピックアップの配置例を示す概略断面図である。
【図６】第３の実施の形態の遮音構造体の構成を示す概略断面図である。
【図７】第３の実施の形態で使用する制御装置の構成を示すブロック図である。
【図８】図７の制御装置の信号選択回路の処理ルーチンを示すフローチャートである。
【図９】（Ａ）及び（Ｂ）はスピーカの取付方法を示す断面図である。
【符号の説明】
【００７２】
１０  床
１２  壁
１４  キャビティ
１６  天井板
１７  シール材
１８  参照マイク
２０  スピーカ
２１  仕切り板
２２  誤差マイク
２４  制御装置
２６  支持脚
２８  床板
３０  支持部材
３２  防振部材
３４  適応フィルタ
３６  演算器
３８  振動ピックアップ
４０  信号選択回路
【図１】
2005105774.tif 000003
【図２】
2005105774.tif 000004
【図３】
2005105774.tif 000005
【図４】
2005105774.tif 000006
【図５】
2005105774.tif 000007
【図６】
2005105774.tif 000008
【図７】
2005105774.tif 000009
【図８】
2005105774.tif 000010
【図９】
2005105774.tif 000011